(57)【要約】【課題】酸素富化空気を吸引具に導く系内の水分や水滴を、導管を取り外して洗浄することなしに自動的に除去することができる酸素発生器とこれを利用した椅子を提供する。【解決手段】ハウジング内に酸素富化膜と、これと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、所定の酸素富化空気生成時間の後、切換弁の作動により、所要時間の間、酸素富化膜と真空ポンプの接続をオフ、真空ポンプとヒータの接続をオンにさせ、導管内を乾燥させる。【選択図】図１
0003106951.tif 000002
【実用新案登録請求の範囲】
【請求項１】
ハウジング内に、酸素富化膜とこれと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、切換弁の作動により、所要時間の間、酸素富化膜と真空ポンプの接続をオフ、真空ポンプとヒータの接続をオンにさせ、加熱空気を導管に流通させるようにしたことを特徴とする酸素発生器。
【請求項２】
所定の酸素富化空気生成時間の後、切換弁を作動して、所要時間の間、酸素富化膜と真空ポンプの接続をオフ、真空ポンプとヒータの接続をオンにさせるコントローラを有している請求項１に記載の酸素発生器。
【請求項３】
導管は酸化チタン光触媒を充填した中継部体を介在させている請求項１に記載の酸素発生器。
【請求項４】
少なくとも背もたれ部分に振動器を配置した椅子本体の座部の下部空所に、酸素富化膜と、これと吸引配管により接続された真空ポンプと、空気の取り入れ部と流通路中に加熱要素を有し吐出側が切換弁を介して前記吸引配管に接続したヒータとを有する酸素発生器を内蔵させ、前記真空ポンプの吐出側に、椅子内を通過して椅子外に到り先端に吸引具を有する導管を接続したことを特徴とする椅子。
【考案の詳細な説明】
【技術分野】
【０００１】
本考案は酸素発生器およびこれを利用してマッサージ効果と酸素の吸引を同時に行なえる健康増進用の椅子に関する。
【背景技術】
【０００２】
スポーツ、仕事、各種の作業、勉学などにおける疲れを緩和し、リフレッシュ感、爽快感、覚醒感を得る方法として、高濃度の酸素を吸引することが効果的であるといわれており、かかる高濃度の酸素を生成・供給する手段として、空気を富酸素化し、約３０％の高濃度酸素を生成する酸素発生器ないし酸素濃縮器(以下、酸素発生器という)が市販されている。
【０００３】
この酸素発生器は、通常、空気取り込み口を有するハウジング内に、酸素富化膜ユニットと真空ポンプを設け、真空ポンプの吐出側にチューブなどの導管を接続し、導管の先端に酸素濃度を約３０％に富化した空気を噴出すマウスを取り付けた構造となっている。
しかし、こうした富化酸素を生成した場合、空気中の水分も真空ポンプから導管を経てマウスに到ることになるので、運転を長時間行なったり、湿度の高い時期や場所で使用した場合に、マウスから水滴が噴出されたりする。
【０００４】
その対策として、導管の途中にドレーンを介在させ、これで結露水を集めて適宜除去するようにしているが、ドレーンから真空ポンプに到る上流側の導管の内壁に付着した水滴や湿分については除去することができない。このため、カビや雑菌が繁殖する恐れを解消できず、また臭気が発生するなど衛生上問題であった。
この対策としては、チューブを取り外して殺菌液で内部を洗浄し、その後、通気して乾燥させたりすることが必要になる。このため面倒で使い勝手が芳しくないという問題があった。
【０００５】
また、上記のようなチューブの取り外し、乾燥は、単独の器具としての酸素発生器の場合には可能である。しかし、身体を休めマッサージなどを楽しみながら富化酸素を吸引するように椅子内に酸素発生器を組み込む形態に構成しようととした場合、チューブの一部が椅子内に存し、特にドレーン具から真空ポンプに到る上流側の導管は取り外し不可能となるため、導管の内壁に付着した水滴や湿分を除去できない。
このことから、酸素発生器をマッサージで体を揉み解しながら富化酸素を吸引することができる椅子に内蔵させることが実質上困難で、振動器付き椅子と別に単独機器としての酸素発生器を購入し、それぞれ使用しなければならなかった。
【０００６】
このため、不経済であるばかりか、設置ないし配置に多く場所を取り、さらに、また振動器と酸素発生器のそれぞれの駆動、停止、使用時間の設定操作などをそれぞれ別々のコントローラで行なわなければならないので、非常に煩雑であるという問題があった。
【考案の開示】
【考案が解決しようとする課題】
【０００７】
本考案は前記のような問題点を解消するためになされたもので、その目的とするところは、酸素富化空気を吸引具に導く系内の水分や水滴を、導管を取り外して洗浄することなしに自動的に除去することができる酸素発生器を提供することにある。
【０００８】
また、本考案の他の目的は、マッサージで体を揉み解しながら富化酸素を吸引することができ、しかも椅子酸素発生装置と酸素富化空気をマウスに導く導管系を内蔵させておいても、水分や水滴を導管内壁から的確に除去することができる健康増進用の椅子を提供することにある。
【課題を解決するための手段】
【０００９】
上記目的を達成するため本考案は、ハウジング内に酸素富化膜と、これと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、切換弁の作動により、所要時間の間、酸素富化膜と真空ポンプの接続をオフ、真空ポンプとヒータの接続をオンにさせ、加熱空気を導管に流通させるようにしたことを特徴としている。
【００１０】
また、本考案は、少なくとも背もたれ部分に振動器を配置した椅子本体の座部の下部空所に、酸素富化膜と、これと吸引配管により接続された真空ポンプと、空気の取り入れ部と流通路中に加熱要素を有し吐出側が切換弁を介して前記吸引配管に接続したヒータとを有する酸素発生器を内蔵させ、前記真空ポンプの吐出側に、椅子内を通過して椅子外に到り先端に吸引具を有する導管を接続したことを特徴としている。
【考案の効果】
【００１１】
本考案によるときには、酸素富化膜を使用し、分子が膜に溶ける速度差を利用して空気中の窒素分を分離除去し、真空ポンプで減圧することにより濃度が約３０％の高濃度酸素を連続生成するが、こうした酸素富化空気の生成吸引が終わったときに、切換弁を作動させると、酸素富化膜と真空ポンプの接続が解除されると同時に真空ポンプの吸引側にヒータが接続されるので、ヒータに空気が吸引されその空気が流通路中で加熱され、乾燥空気となって真空ポンプから導管に送られ、酸素富化空気の導管の内壁に付着していた水滴や水分が蒸発して乾燥状態にされる。
【００１２】
したがって、雑菌やカビの繁殖が抑制され、臭気の発生も抑制されるので、衛生状態をよいものにすることができ、また、面倒な導管の取り外し、洗浄を省略できるので、使い勝手をよいものにすることができる。
【００１３】
また、本考案の椅子によれば、マッサージを行なえるうえに、座部下の空所に酸素発生器が内蔵されているため、これを作動させることで高濃度の酸素が生成され、したがって揉み解しながら富化酸素を吸引でき、筋肉のほぐし効果が増大するとともに、リフレッシュ感や快適性、爽快さを同時に得ることができる。
【００１４】
しかも、導管が取り外せず、椅子内に通されていても、ヒータと切換弁とにより前記のように酸素富化空気生成に伴って発生し導管の内壁に付着していた水滴や水分が熱で蒸発して乾燥されるので、酸素発生器内蔵椅子としてメンテナンスが容易であり、一台の椅子であるから場所を取らず、専用の酸素発生器を購入する必要がないので経済的であり、また、振動器と酸素発生器の発停や時間設定、強弱などを単一のコントローラで操作できるので、使い勝手をよいものにすることができるというすぐれた効果が得られる。
【考案を実施するための最良の形態】
【００１５】
本考案は、所定の酸素富化空気生成時間の後、切換弁を作動して、所要時間の間、酸素富化膜と真空ポンプの接続をオフ、真空ポンプとヒータの接続をオンにさせるコントローラを有している。
これによれば、酸素富化空気の吸引時間が終わったときにヒータによる導管内乾燥が自動的に行なわれるので、水滴や水分を溜めずに導管を適切な乾燥状態に維持することができる。
【００１６】
導管は酸化チタン光触媒を充填した中継部体を介在させている。
これによれば、通過する酸素富化空気を浄化し、脱臭、抗菌を図ることができるので、ヒータによる乾燥空気での換気とあいまって衛生的な酸素吸引を行うことができる。
【実施例１】
【００１７】
以下添付図面を参照して本考案の実施例を説明する。
図１ないし図６は本考案による酸素発生器の一実施例を示している。
１はハウジング(ボックス状フレーム)であり、下部体１ａと上部体１ｂとからなっている。下部体１ａには外側に起立板１０１，１０１を有するブラケット１ｃが固定されている。
２は酸素富化膜ユニットであり、ケーシング２ａに取り入れた空気から窒素分を溶解、拡散、離脱させる酸素富化膜２ｂを装填してなり、図２のように、取り入れ口をハウジング１の側面に向けるように水平状に支持部１００，１００で支架されている。
【００１８】
３は真空ポンプ(減圧用ポンプ)であり、前記酸素富化膜ユニット２の側方において下部体１ａに固定されている。
４はヒータであり、図４に単体の状態を示すように、内部に流通空間を設けた筒状のハウジング４ａと、流通空間に格納されたヒータ本体４ｂとからなっている。
【００１９】
前記ハウジング４ａは、耐熱・非導電性の筒状をなす胴部体４０にテーパー状にすぼまった吐出口４２０を有する先端部４２を設けており、胴部体４０の後端部にはキャップとしての後端部体４１を嵌合し、その後端部体４１に空気取り入れ孔４１０が貫設されている。
【００２０】
ヒータ本体４ｂは出力１．２〜３．０Ｗ程度のヒューズ付きの仕様ものが使用されるが、構成は任意である。図４(ａ)と（ｂ）の例では、耐熱・非導電性の材料を断面十字状に加工し各翼の先端に掛け溝を配したた絶縁部体４３に線状の発熱体４４を懸回してなる。
図４（ｃ）（ｄ）の例では、ヒータ本体４ｂは、絶縁シート４３’に面状の発熱体４４を層着したシート状発熱体を円筒状に成形してなる。
いずれの場合も、ヒータ本体４ｂはハウジング４ａに挿入され、それにより長手方向に延びる加熱空気流通路４５が画成されている。
前記ハウジング４ａは、先端部４２と後端部体４０に設けたブラケット部分４１１、４２１を酸素富化膜ユニット２のケーシング下面に当接して、ビスなどにより固定される。
【００２１】
５は切換弁であり、たとえば３ポート２位置の電磁弁からなり、第１ポート５０が前記酸素富化膜ユニット２の吐出側配管６ａと接続されている。
第２ポート５１は吸引配管６ｂによって前記真空ポンプ３の吸引部に接続されており、第２ポートと選択的にオン・オフされる第３ポート５２は配管６ｃによって前記ヒータ先端部体４２の吐出口４２０と接続されている。
【００２２】
前記真空ポンプ３の排気部は可撓性の導管７の端部が接続されており、導管７はハウジング１の外方に導かれて吸引具８にダイレクトに接続されてもよいが、この実施例では、導管７を中継部体９に接続し、これからの導管７’を吸引具８に接続している。吸引具８は口元に接近した状態で酸素富化空気を吸引できるようにするため、図５のように、首や頭部に対して装着可能な弾力性のあるバンド８ｂにマウス８ａを角度可変に取り付けている。
【００２３】
前記中継部体９は、図６のように全体としてカプセル状をなし、カップ状の第１部体９ａとこれに着脱可能な第２部体９ｂとを有している。第１部体９ａは透光性に作られ、内部には粉粒状ペレット状などの酸化チタン光触媒１２が取替え可能に充填されている。
【００２４】
１０は前記ハウジング１に設けた換気ファン、１１は電源装置であり、真空ポンプ３とヒータ本体４ｂ、切換弁５および換気ファン１０の各駆動部に接続されている。
１２はコントローラ(コントロール基板)であり、前記コントローラ１２には、図５のように、真空ポンプ３の駆動部とヒータ本体４ｂの線状発熱体４４と切換弁５の駆動部を所定のプログラムで作動するようにハード/ソフトの制御回路が組み込まれている。
【００２５】
図７ないし図９は本考案の酸素発生器Ｓを組み込んだ椅子を示している。
１５は椅子本体であり、繊維系または皮革系の表装材の内側にクッション材を充填した座部１５ａと背もたれ部１５ｂを有し、両側には剛性材料を埋め込んだ肘掛部1５ｃ、1５ｃが固定されている。
前記座席部１５ａと背もたれ部１５ｂには、それぞれ振動器１６ａ、１６ｂが埋め込まれている。背もたれ部１５ｂの振動器１６ａは比較的高いレベルと腰に対応する比較的低いレベルにそれぞれ配されている。
【００２６】
前記座部１５ａには、臀部を受載する位置に電床(電極)１７が埋め込まれており、これに対する給電ケーブルは座部側面に取り付けられたパネルの電位入力ジャックに接続されている。
座部１５ａには、電床１７の埋め込み部分より下方に空室１８が画成されており、該空室１８に酸素発生器Ｓが格納固定されている。すなわち、前記酸素発生器Ｓは、図１と図２のように、ハウジング下面のブラケット１ｃにおける起立板１０１，１０１を、空室１８に固設した左右の剛質な側板１９，１９にねじで固定することで定置されている（図２参照）。
座部１５ａの底１５０には、酸素発生器Ｓの格納や点検を行ないやすくするため、ファスナーで開閉可能になっている。
【００２７】
酸素富化膜ユニット２の空気吸い込み口は座席側部に臨んでいるが、該部分は表装材で覆われているため外部からは視認されないようになっている。
真空ポンプ３の吐出側に接続した高濃度酸素の導管７は、図７と図８のように、背もたれ部１５ｂ内を通って導かれ、図６と図９のように背もたれ部１５ｂの側部に側部を固定した中継部体９を介して導管７’に接続されている。チューブ７’は所要の長さを有し、先端に吸引具８が装備されている。背もたれ部１５ｂの側部には、吸引具８のバンド８ｂを引っ掛けておく保持具１５２が設けられている。
【００２８】
前記背もたれ部１５ｂには、背中が当る部分にたとえば２０〜３０Ｗ程度の電熱型の加温用ヒーター１９が埋め込まれており、また、肩から上の部位に相当するレベルにはフルレンジの少なくとも２つのスピーカユニット２０が埋め込まれている。
【００２９】
前記座部１５ａの後面部には図９のようにＡＣ電源の接続部などを含む電源パネルが設けられており、また、座部側部の前記パネルと反対側の部位には、リモートコントローラ２１が出没可能に配されている。
該リモートコントローラ２１は、メイン電源スイッチと、振動器のオンオフスイッチ・タイマー、温熱ヒーターのオンオフスイッチ・タイマーなどが組み込まれるほか、酸素発生器Ｓのコントローラ１２と接続されており、オンオフスイッチ２１１と必要に応じてタイマー２１２により使用条件を設定できるようになっている。
なお、このほかに電位治療のための操作要素、スピーカー発停・音量調整のための操作要素などが組み込まれていてもよい。
【００３０】
本考案の椅子を使用するときには、座部１５ａに腰掛け、背部を背もたれ部１５ｂに上半身をあずけ、希望する処置を選択する。高濃度酸素の吸引をしたい場合には、吸引具８を首あるいは頭部に装着し、マウス８ａを口元に向ける。
そして、リモートコントローラ２１で「酸素」を選択し、オンオフスイッチ２１１を操作する。こうすれば、たとえば１５分間作動して、自動停止する。なお、タイマーを有する場合には、たとえば１０分、１５分、２０分、３０分などから選択することができる。
【００３１】
こうすれば、酸素発生器Ｓの切換弁５が、酸素富化膜ユニット２の吐出配管６ａと真空ポンプ３の吸引部をつなぐ吸引配管６ｂを連通させ、ヒータ４の配管６ｃとの連通を断に維持する。
この結果、酸素富化膜ユニット２には連続的に空気が取り込まれ、分子が膜に溶ける速度差を利用して空気中の窒素分が分離除去され、吸引配管６ｂから真空ポンプ３に吸い込まれて減圧されることにより濃度が約３０％の高濃度酸素が生成される。
この酸素富化空気は、真空ポンプ３から連続的に導管７，７’に送られ、マウス８ａから噴出されて吸引される。
【００３２】
こうして設定した時間たとえば１５分が経過すると、切換弁５が作動し、弁体が酸素富化膜ユニット２の吐出側配管６ａと真空ポンプ３の吸引配管６ｂとの連通を断にするので、酸素富化空気の送給が停止される。、
これと同時に、切換弁５の作動で真空ポンプ３の吸引配管６ｂがヒータ４の吐出側の配管６ｃと連通させられる。ヒータ４の線状発熱体４４はこの時点から作動してもよいが、この切換時以前から給電され、予熱状態とされてもよい。
【００３３】
こうすれば、酸素富化膜ユニット２が働かないので、酸素富化空気の創成が停止される一方、真空ポンプ３の吸引力がヒータ４内に作用するので、空気取り入れ孔４１０からハウジング４ａ内に空気が吸い込まれ、流通路４５を通過しつつ発熱体４４で加熱され、それにより加熱空気となって吐出口４２０から配管６ｃを通り、吸引配管６ｂから真空ポンプ３に吸い込まれ、これの吐出部から連続的に導管７，７’を流通してマウス８ａから噴出される。これが設定時間、たとえば６０〜１２０秒の範囲で持続される。
【００３４】
単なる冷風や常温の空気の送風ではなく、加熱により水分が除去された加熱空気の送風であるので、これが連続的に導管７，７’を通過することによりそれら内壁に付着している水滴や水分が蒸発され、排出される。このため、吸引配管６ｂと導管７が椅子内に組み込まれていて取り外すことができない状態にありながら、吸引配管６ｂや導管７，７’の細菌やカビが繁殖や、それらによる臭気の発生を抑制できる。
【００３５】
こうした乾燥行程が終わると、発熱体４４は作動を停止しあるいは出力が予熱モードに切り換えられる一方、真空ポンプ３のモータが停止され、切換弁５の弁体が動いて、酸素富化膜ユニット２の吐出側配管６ａと真空ポンプ３の吸引配管６ｂとを連通させ、真空ポンプ３の吸引配管６ｂとヒータ４の吐出側配管６ｃの連通を断にさせる。これにより、再び酸素富化空気の生成と供給が可能な状態になる。
【００３６】
なお、中継部体９に粉粒状ペレット状などの酸化チタン光触媒１２を充填しておいた場合には、第１部体９ａを透過した光によって活性化し、ここを通る酸素富化空気を浄化し、脱臭作用と抗菌作用を発揮する。
したがって、前記加熱空気による乾燥とあいまって、きれいな酸素富化空気を吸引することができる。
【００３７】
前記酸素の吸引と同時にマッサージもしたい場合にはリモートコントローラ２１で振動も選択すればよく、振動器１６ａ、１６ｂが作動して背中、腰および腿が刺激される。
したがって、体内に高濃度の酸素を取り入れながら振動による効果的なマッサージを受けることができる。同時に加温ヒーター１９をも作動に組み込むと、背中と腰が暖められるので、より一層良好なマッサージ効果とリフレッシュ効果を創成可能である。
【００３８】
また、音声入力ジャック６１にＣＤやＤＶＤなど外部の所望音響機器の音声出力部を接続すれば、スピーカユニット２０から音声が放散されるので、より快適な状況を創成可能である。
また、単独であるいは振動及び/又は酸素吸引と併行して電位治療を行ないたい場合には、側部パネルの電位入力ジャックに外部の電位治療器を接続する。こうすれば、高電圧が電床１７に印加されるので、専用の椅子や電床を要さずに手軽に電位治療を行える。
【図面の簡単な説明】
【００３９】
【図１】本考案による酸素発生器の一実施例を示す横断面図である。
【図２】縦断側面図である。
【図３】部分切欠背面図である。
【図４】(ａ)はヒータの第１例を示す縦断側面図、（ｂ）は(ａ)のＸ−Ｘ線に沿う断面図、（ｃ）はヒータの第２例を示す縦断側面図、（ｄ）は(ｂ)のＹ−Ｙ線に沿う断面図である。
【図５】本発明の構成機器の系統図である。
【図６】中継部体の部分切欠側面図である。
【図７】本考案による酸素発生器を使用した椅子の内部透過斜視図である。
【図８】図７の縦断側面図である。
【図９】椅子の背面図である。
【符号の説明】
【００４０】
１  ハウジング
２  酸素富化膜ユニット
３  真空ポンプ
４  ヒータ
４ａ  ハウジング
４ｂ  ヒータ本体
５  切換弁
６ａ、６ｂ  配管
７，７’  導管
８  吸引具
９  中継部体
１２  コントローラ
１５  椅子本体
１５ａ  座部
４４  発熱体
【図１】
0003106951.tif 000003
【図２】
0003106951.tif 000004
【図３】
0003106951.tif 000005
【図４】
0003106951.tif 000006
【図５】
0003106951.tif 000007
【図６】
0003106951.tif 000008
【図７】
0003106951.tif 000009
【図８】
0003106951.tif 000010
【図９】
0003106951.tif 000011
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
ハウジング内に、酸素富化膜とこれと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、切換弁の作動により、所要時間の間、酸素富化膜と真空ポンプの接続をオフ、真空ポンプとヒータの接続をオンにさせ、加熱空気を導管に流通させるようにしたことを特徴とする酸素発生器。
【請求項２】
所定の酸素富化空気生成時間の後、切換弁を作動して、所要時間の間、酸素富化膜と真空ポンプの接続をオフ、真空ポンプとヒータの接続をオンにさせるコントローラを有している請求項１に記載の酸素発生器。
【請求項３】
導管は酸化チタン光触媒を充填した中継部体を介在させている請求項１に記載の酸素発生器。
【請求項４】
少なくとも背もたれ部分に振動器を配置した椅子本体の座部の下部空所に酸素発生器を内蔵させ、前記酸素発生器の真空ポンプの吐出側に、椅子内を通過して椅子外に到り先端に吸引具を有する導管を接続してなり、前記酸素発生器が、ハウジング内に、酸素富化膜とこれと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、切換弁の作動により、所要時間の間、酸素富化膜と真空ポンプの接続をオフ、真空ポンプとヒータの接続をオンにさせ、加熱空気を導管に流通させるようにしていることを特徴とする椅子。
【手続補正２】
【補正対象書類名】明細書
【補正対象項目名】００１０
【補正方法】変更
【補正の内容】
【００１０】
また、本考案は、少なくとも背もたれ部分に振動器を配置した椅子本体の座部の下部空所に酸素発生器を内蔵させ、前記酸素発生器の真空ポンプの吐出側に、椅子内を通過して椅子外に到り先端に吸引具を有する導管を接続してなり、前記酸素発生器が、ハウジング内に、酸素富化膜とこれと吸入配管で接続された真空ポンプを配し、真空ポンプの吐出側に先端に吸引手段を有する導管を接続したものにおいて、前記ハウジングに、空気の取り入れ部とこれに続く流通路中に加熱要素を配したヒータを装備させ、該ヒータの吐出側を切換弁を介して前記吸引配管に接続し、切換弁の作動により、所要時間の間、酸素富化膜と真空ポンプの接続をオフ、真空ポンプとヒータの接続をオンにさせ、加熱空気を導管に流通させるようにしていることを特徴としている。